(57)【要約】  【課題】可燃性冷媒を備えた冷蔵庫の庫内灯の安全性を高め、低コスト化が可能な冷蔵庫を提供する。  【解決手段】光透過性の高い透明色で光反射性の高い平面度を兼ね備えた棚を庫内に用い、庫内灯装置１２にＬＥＤランプ１９を採用することにより、安全性を高めた上で、低電力で発熱を防止することができ、ドアスイッチ等の高価部品の廃止合理化して常時通電にしてもランプ強度寿命が向上するためサービス交換する必要がなくなり庫内を簡素化することができる。また光透過性の高い透明色で光反射性の高い平面度を兼ね備えた棚を庫内に用い指向性の高いＬＥＤランプ光を拡散・反射・増幅を組み合わせることで均光させて庫内食品の視認性を高めることができる。【選択図】図１
2007132562.tif 000002
【特許請求の範囲】
【請求項１】
光透過性の高い透明色で光反射性の高い平面度を兼ね備えた棚を庫内に用いた冷蔵庫において、庫内灯にＬＥＤランプを用いたことを特徴とする冷蔵庫。
【請求項２】
前記ＬＥＤランプの前方にカバーを有し、前記カバー表面が光拡散形状を形成していることを特徴とする請求項１に記載の冷蔵庫。
【請求項３】
前記ＬＥＤランプの前方にカバーを有し、前記カバーを幾何学構造とし、それぞれ中心になるほど厚くしたことを特徴とする請求項１または２に記載の冷蔵庫。
【請求項４】
前記ＬＥＤランプの周辺に反射板を有したことを特徴とする請求項１から３のいずれか一項に記載の冷蔵庫。
【請求項５】
複数の前記ＬＥＤランプを有し、それぞれ独立して配置したことを特徴とする請求項１から４のいずれか一項に記載の冷蔵庫。
【請求項６】
複数の前記ＬＥＤランプを有し、それぞれの光照射方向が異なることを特徴とする請求項１から５のいずれか一項に記載の冷蔵庫。
【請求項７】
前記ＬＥＤランプは、前記棚の後方に位置させたことを特徴とする請求項１から６のいずれか一項に記載の冷蔵庫。
【請求項８】
前記ＬＥＤランプを常時通電させたことを特徴とする請求項１から７のいずれか一項に記載の冷蔵庫。
【発明の詳細な説明】
【技術分野】
【０００１】
本発明は、庫内の照明としてＬＥＤランプを備えた冷蔵庫に関するものである。
【背景技術】
【０００２】
近年、冷蔵庫は可燃性冷媒を用いて脱フロン化が進んでおり、環境に配慮することが必要不可決である。そのため万が一可燃性冷媒が冷蔵庫内に洩れた場合でもサービス交換に配慮した庫内灯の接点から発火に至らないようランプソケットは密封構造に、またドアスイッチも無接点仕様にして防爆対応し、ドア開放時のみ庫内灯が点灯するようになってきている（例えば、特許文献１参照）。
【０００３】
以下、図面を参照しながら、上記従来の冷蔵庫について説明する。
【０００４】
図５は、特許文献１に記載された従来の冷蔵庫１を示すものであり、冷蔵室２は食品棚３と背面に備えた冷気風路４と庫内灯５とより成っている。そして、冷蔵室２の手前側壁にはドアスイッチ６が設置してあり庫内灯の点灯消灯を制御している。
【０００５】
上記構成において、冷蔵室扉を開放させるとドアスイッチ６が短絡し庫内灯５を点灯させる。冷蔵室扉を閉じるとドアスイッチ６が開放し庫内灯５を消灯させる。
【特許文献１】実開平６−５６６８１号公報
【発明の開示】
【発明が解決しようとする課題】
【０００６】
しかしながら、上記従来の冷蔵庫では、万が一可燃性冷媒が冷蔵庫内に洩れた場合でも庫内灯の接点から発火に至らないようランプソケットは密封構造に、またドアスイッチも無接点仕様にして防爆対応しなければならず高価となる。また、ドア開放時のみ点灯するようにしなければならず複雑な回路構成・形状仕様にしなければならない。また庫内の棚・容器の強度維持のため複雑な形状仕様となり庫内をシンプル形状にできないという課題を有していた。
【０００７】
本発明は上記従来の課題を解決するものであり、低コストで視認性の高い庫内灯を備えた冷蔵庫を提供することを目的とする。
【課題を解決するための手段】
【０００８】
上記従来の課題を解決するために、本発明の冷蔵庫は光透過性の高い透明色で光反射性の高い平面度を兼ね備えた棚を庫内に用い、庫内灯にＬＥＤランプを採用したことを特徴とするものである。
【０００９】
これによって低電力で発熱を防止することができ、ドアスイッチ等の高価部品の廃止合理化して常時通電にしてもランプ強度寿命が向上するためサービス交換する必要がなくなり庫内を簡素化することができる。また光透過性の高い透明色で光反射性の高い平面度を兼ね備えた棚を庫内に用い指向性の高いＬＥＤランプ光を拡散・反射・増幅を組み合わせることができる。
【発明の効果】
【００１０】
本発明の冷蔵庫は、庫内灯にＬＥＤランプを採用することにより低電力で発熱を防止でき常時通電にすることでドアスイッチ等の高価部品の廃止合理化を実現でき、ランプ強度寿命が向上するためサービス交換する必要がなくなり庫内を簡素化することができる。また光透過性の高い透明色で光反射性の高い平面度を兼ね備えた棚容器を庫内に用い指向性の高いＬＥＤランプ光を拡散・反射・増幅を組み合わせることで均光させて庫内食品の視認性を高めることができる。
【発明を実施するための最良の形態】
【００１１】
請求項１に記載の発明は、光透過性の高い透明色で光反射性の高い平面度を兼ね備えた棚を庫内に用いた冷蔵庫において、庫内灯にＬＥＤランプを用いたものであり、指向性の高いＬＥＤランプ光を冷蔵庫の庫内灯として効率よく拡散させ適用することができ、庫内食品の視認性を高めることができる。
【００１２】
請求項２に記載の発明は、請求項１に記載の発明において、前記ＬＥＤランプの前方にカバーを有し、前記カバー表面が光拡散形状を形成しているものであり、指向性の高いＬＥＤランプ光を冷蔵庫の庫内灯として、さらに効率よく拡散させ適用することができる。
【００１３】
請求項３に記載の発明は、請求項１または２に記載の発明において、前記ＬＥＤランプの前方にカバーを有し、前記カバーを幾何学構造とし、それぞれ中心になるほど厚くしたものであり、指向性の高いＬＥＤランプ光を冷蔵庫の庫内灯として、さらに効率よく拡散させ適用することができる。
【００１４】
請求項４に記載の発明は、請求項１から３のいずれか一項に記載の発明において、前記ＬＥＤランプの周辺に反射板を有したものであり、ＬＥＤランプ光の拡散をさらに効率よく行うことができる。
【００１５】
請求項５に記載の発明は、請求項１から４のいずれか一項に記載の発明において、複数の前記ＬＥＤランプを有し、それぞれ独立して配置したものであり、さらに冷蔵庫内の照明効率が高まる。
【００１６】
請求項６に記載の発明は、請求項１から５のいずれか一項に記載の発明において、複数の前記ＬＥＤランプを有し、それぞれの光照射方向が異なるものであり、さらに冷蔵庫内の照明効率が高まる。
【００１７】
請求項７に記載の発明は、請求項１から６のいずれか一項に記載の発明において、前記ＬＥＤランプは、前記棚の後方に位置させたものであり、庫内のスペースを有効に活用できる。
【００１８】
請求項８に記載の発明は、請求項１から７のいずれか一項に記載の発明において、前記ＬＥＤランプを常時通電させたものであり、庫内への熱影響を抑えながらドアスイッチ等の部品を減らすことができ、低コスト化が図れる。
【００１９】
以下、本発明の実施の形態について、図面を参照しながら説明する。なお、この実施の形態によってこの発明が限定されるものではない。
【００２０】
（実施の形態１）
図１（ａ）は本発明の実施の形態１における冷蔵庫の斜視図、図１（ｂ）は冷蔵庫の断面図、図２は庫内灯装置の構造図、図３は庫内灯装置の断面光透過説明図、図４（ａ）は冷蔵室の正面図、図４（ｂ）は冷蔵室の平面断面光透過説明図である。
【００２１】
図１から図４において、７は冷蔵庫、８は冷蔵室を示すものであり庫内には透明なガラス棚９と背面に庫内灯装置１２を設けた冷気循環用のダクト１０とより成っている。
【００２２】
庫内灯装置１２は、ダクト１０表面の開口部１３と曲面に形成し反射材１５をはめ込んだ反射板１６とＬＥＤランプ１９を実装した基板１８を挿入するレール１７と表面に光拡散形状２１とレンズ形状２２を有しダクト１０に開けられた固定穴１４に挿入固定する爪２３を設けたランプカバー２０とより構成してある。
【００２３】
また、庫内灯装置２９は複数のＬＥＤランプ１９を異なる光照射方向になるよう台座形状を変えて構成してある。
【００２４】
なお、冷蔵庫の冷凍サイクルにはＨＣ（Ｒ６００ａ）などの可燃性冷媒を用いている。また、ＬＥＤランプ１９はドアスイッチ等を介さず冷蔵庫の電源投入と連動して常時通電としている。
【００２５】
以上のように構成された冷蔵庫について、以下その動作、作用を説明する。
【００２６】
庫内灯装置１２にＬＥＤランプ１９を採用して低電力で且つ発熱を防止できるため、ＬＥＤランプ１９を常時通電にしても消費電力量への影響が少なく保存食品が温度上昇する課題も克服することができる。またドアスイッチ等の高価部品の廃止合理化が実現でき、ランプ強度寿命が向上するためサービス交換する必要がなくなり庫内を簡素化することができる。
【００２７】
そして光透過性の高い透明色で光反射性の高い平面度を兼ね備えたガラス棚９を庫内に配置すると共に、ＬＥＤランプ１９前に曲面形状した反射板１６で間接照明にすることにより指向性の高いＬＥＤランプ光２４を曲面で反射させることができ照射された場所によって光の方向は２４ａから２４ｃまで様々な方向に拡散させることができる。
【００２８】
更に光拡散形状２１とレンズ形状２２を形成したランプカバー２０を組み合わせることにより拡散形状２１に照射された光２５は屈折し２５ａや２５ｂの方向に拡散していき、一部は反射して２５ｃの方向を照射して明るさを増幅させる、レンズ形状２２に照射された光２６は屈折し２６ａから２６ｄの方向に拡大することができる。庫内灯装置１２によって拡散光１１となったＬＥＤランプ光２４はガラス棚９を透過する光１１ａや１１ｃと反射する光１１ｂや１１ｄとに分かれてその動作を繰り返し、庫内に光を行き渡らせると共に複数の光源をミラー効果により確認できるようになり、均光させて庫内食品の視認性を高めることができる。
【００２９】
また、庫内灯装置１２の取付け位置をガラス棚９の真後ろに位置させることにより、指向性が高く直視すると眩しいＬＥＤランプ１９の光はガラス棚９の内部を透過拡散光２８として発光、均光させて庫内食品の視認性を高めることができる。
【００３０】
また、複数のＬＥＤランプ１９を使い光照射方向を変える庫内灯装置２９によって均光させて庫内食品の視認性を高めることができる。
【産業上の利用可能性】
【００３１】
以上のように、本発明にかかる冷蔵庫は、庫内灯にＬＥＤランプを採用することにより低電力で発熱を防止でき常時通電にすることでドアスイッチ等の高価部品の廃止合理化を実現でき、ランプ強度寿命が向上するためサービス交換する必要がなくなり庫内を簡素化することができると共に光透過性の高い透明色で光反射性の高い平面度を兼ね備えた棚容器を庫内に用い指向性の高いＬＥＤランプ光を拡散・反射・増幅を組み合わせることで均光させて庫内食品の視認性を高めることができるもので冷蔵機器全般の用途にも適用できる。
【図面の簡単な説明】
【００３２】
【図１】（ａ）本発明の実施の形態１における冷蔵庫の斜視図（ｂ）本発明の実施の形態１における冷蔵庫の断面図
【図２】本発明の実施の形態１における冷蔵庫の庫内灯装置の構造図
【図３】本発明の実施の形態１における冷蔵庫の庫内灯装置の断面光透過説明図
【図４】（ａ）本発明の実施の形態１における冷蔵庫の冷蔵室の正面図（ｂ）本発明の実施の形態１における冷蔵庫の冷蔵室の平面断面光透過説明図
【図５】従来の冷蔵庫の断面図
【符号の説明】
【００３３】
７    冷蔵庫
８    冷蔵室
９    ガラス棚
１０  ダクト
１２，２９  庫内灯装置
１６  反射板
１９  ＬＥＤランプ
２０  ランプカバー
２１  光拡散形状
２２  レンズ形状
【図１】
2007132562.tif 000003
【図２】
2007132562.tif 000004
【図３】
2007132562.tif 000005
【図４】
2007132562.tif 000006
【図５】
2007132562.tif 000007